(57)【要約】【課題】照明器具が所定の設置位置に固定された状態で、照明器具と照明制御機器との間での必要な無線通信性能を確保しやすい照明器具を提供することである。【解決手段】照明器具１１は、照明装置３０と器具本体１２と開閉器５０とを含む。照明装置３０は、第一無線通信部と、第一無線通信部が受信した制御信号に基づいて発光状態が制御される光源部と、光源部及び第一無線通信部が取り付けられた金属製の第一筐体と、第一筐体に設けられた第一係合部とを有する。器具本体１２は、金属製の第二筐体と、第二筐体に設けられた第二係合部とを有し、第一係合部と第二係合部とが互いに係合した状態で器具本体１２に照明装置３０が取付けられる。開閉器５０は、第一筐体と第二筐体との電気的接続を開閉する。【選択図】図１２
2019021557.tif 000002
【特許請求の範囲】
【請求項１】
照明装置と、器具本体と、開閉器とを備え、
前記照明装置は、第一無線通信部と、前記第一無線通信部が受信した制御信号に基づいて発光状態が制御される光源部と、前記光源部及び前記第一無線通信部が取り付けられた金属製の第一筐体と、前記第一筐体に設けられた第一係合部とを有し、
前記器具本体は、金属製の第二筐体と、前記第二筐体に設けられた第二係合部とを有し、前記第一係合部と前記第二係合部とが互いに係合した状態で前記器具本体に前記照明装置が取付けられ、
前記開閉器は、前記第一筐体と前記第二筐体との電気的接続を開閉する、
照明器具。
【請求項２】
前記第一筐体は、前記第二筐体に面する第一面を有し、
前記第二筐体は、前記第一面と接する第二面を有する、
請求項１に記載の照明器具。
【請求項３】
前記第一面及び前記第二面の少なくとも一方は、絶縁被膜で覆われている、
請求項２に記載の照明器具。
【請求項４】
前記開閉器は、前記第一係合部及び前記第二係合部の間に設けられる、
請求項１から請求項３のいずれか１項に記載の照明器具。
【請求項５】
前記第一係合部及び前記第二係合部の一方の係合部は弾性部材を含み、他方の係合部は切欠または貫通孔を含む、
請求項４に記載の照明器具。
【請求項６】
前記弾性部材はバネである、
請求項５に記載の照明器具。
【請求項７】
前記バネを覆う絶縁チューブを有する、
請求項６に記載の照明器具。
【請求項８】
前記第一係合部及び前記第二係合部の少なくとも一方の係合部の表面のうち、前記第一係合部及び前記第二係合部の接触部には、電気的絶縁の機能を有する絶縁材が配置される、
請求項１から請求項６のいずれか１項に記載の照明器具。
【請求項９】
前記絶縁材は非金属材である、
請求項８に記載の照明器具。
【請求項１０】
前記第一無線通信部は、制御部を含み、
前記開閉器は、前記制御部からの信号により制御される、
請求項１から請求項９のいずれか１項に記載の照明器具。
【請求項１１】
照明器具と、
前記照明器具に制御信号を、第二無線通信部を介して送信可能に構成され、前記照明器具の発光状態を制御する制御装置とを備え、
前記照明器具が請求項１から請求項１０のいずれか１項に記載の照明器具である、
照明システム。
【請求項１２】
複数の照明器具と、
前記複数の照明器具に制御信号を、第二無線通信部を介して送信可能に構成され、複数の照明器具の発光状態を制御する制御装置とを備え、
前記複数の照明器具のそれぞれが請求項１から請求項１０のいずれか１項に記載の照明器具である、
照明システム。
【請求項１３】
前記制御装置に接続された表示端末を備え、
前記複数の照明器具の少なくとも１つの照明器具から送出された前記開閉器の情報を前記制御装置を介して前記表示端末に表示可能に構成される、
請求項１２に記載の照明システム。
【発明の詳細な説明】
【技術分野】
【０００１】
本開示は、照明器具及び照明システムに関する。
【背景技術】
【０００２】
特許文献１には、板金製で天井材に固定される器具本体と、光源ユニットとを備える照明器具が開示されている。光源ユニットは、板金製の長尺な取付部材に、ＬＥＤ（発光ダイオード）モジュールが取り付けられる。取付部材は、幅方向の一端側に引っ掛け金具が取り付けられ、幅方向他端側に引っ掛けばねが取り付けられる。器具本体に光源ユニットを取り付ける際には、一対の側板のうち、一方の側板に設けられた孔に光源ユニットの引っ掛け金具の先端を引っ掛けた後、他方の側板に設けられた引っ掛け部に光源ユニットの引っ掛け金具の先端を引っ掛ける。そして、引っ掛け金具を支点として光源ユニットを器具本体側に持ち上げるように回転させると、引っ掛けばねのバネ力で光源ユニットが器具本体に保持される。
【先行技術文献】
【特許文献】
【０００３】
【特許文献１】特開２０１５−８８３９３号公報
【発明の概要】
【発明が解決しようとする課題】
【０００４】
制御信号で制御される照明器具と、その照明器具に制御信号を無線で送信する照明制御機器とが、屋内の離れた２点に配置される場合がある。その場合、その無線通信における電波伝搬において、建材または什器等が電波を反射、吸収することにより、複数の伝搬経路（マルチパス）が形成される。これにより、受信信号強度が局所的に低下する位置が発生する。その位置に無線を受信する機器が設置されると、必要な無線通信性能が得られない可能性がある。設置位置及び向きを比較的に容易に変更できる無線受信機器であれば、受信信号強度を容易に改善でき、必要な無線通信性能を容易に確保できる場合がある。しかしながら、天井、壁等の所定の設置位置に固定して設置される無線受信機器である照明器具の場合には、設置位置及び向きを調整することが困難であり、必要な無線通信性能を確保できない可能性がある。
【０００５】
本開示の目的は、照明器具と照明制御機器との間での必要な無線通信性能を確保しやすい照明器具及び照明システムを提供することである。
【課題を解決するための手段】
【０００６】
本開示に係る照明器具は、照明装置と、器具本体と、開閉器とを備え、照明装置は、第一無線通信部と、第一無線通信部が受信した制御信号に基づいて発光状態が制御される光源部と、光源部及び第一無線通信部が取り付けられた金属製の第一筐体と、第一筐体に設けられた第一係合部とを有し、器具本体は、金属製の第二筐体と、第二筐体に設けられた第二係合部とを有し、第一係合部と第二係合部とが互いに係合した状態で器具本体に照明装置が取付けられ、開閉器は、第一筐体と第二筐体との電気的接続を開閉する。
【０００７】
本開示に係る照明システムは、照明器具と、照明器具に制御信号を、第二無線通信部を介して送信可能に構成され、照明器具の発光状態を制御する制御装置とを備え、照明器具が本開示に係る照明器具である。
【０００８】
また、本開示に係る照明システムは、複数の照明器具と、複数の照明器具に制御信号を、第二無線通信部を介して送信可能に構成され、複数の照明器具の発光状態を制御する制御装置とを備え、複数の照明器具のそれぞれが本開示に係る照明器具である。
【発明の効果】
【０００９】
本開示に係る照明器具及び照明システムによれば、開閉器の開閉に応じて第一筐体と第二筐体との電気的接続が開閉されるので、その開閉器の開閉に応じて第一無線通信部での受信性能が変化する。これにより、受信信号強度が高くなる開閉器の開閉状態を容易に選択できるので、照明器具と照明制御機器との間での必要な無線通信性能を確保しやすい。
【図面の簡単な説明】
【００１０】
【図１】本開示の一実施形態の照明器具を含む照明システムの構成図である。
【図２】本開示の一実施形態の照明器具を下側から見た斜視図である。
【図３】図２の照明器具から器具本体を取り出して下側から見た斜視図である。
【図４】図３の器具本体を上から見た斜視図である。
【図５】図２の照明器具から照明装置を取り出して下側から見た斜視図である。
【図６】図５の照明装置において、一部を省略した状態で上から見た斜視図である。
【図７】図６の照明装置において、一部を省略して分解して示す斜視図である。
【図８】電線、キックバネ、及び無線通信部を含んで示す図７のＡ部拡大相当図である。
【図９】図８の照明装置を下側から見た図である。
【図１０】器具本体と照明装置との長手方向一部を並んで示す図である。
【図１１Ａ】器具本体において、キックバネ受け部が配置された長手方向一部を示す斜視図である。
【図１１Ｂ】キックバネ及びキックバネ受け部を介して器具本体に照明装置を取り付ける状態を斜め下側から見て示す斜視図である。
【図１２】実施形態の照明器具において、照明装置と器具本体とを並んで示している回路図である。
【図１３】実施形態の照明器具において、器具本体の第二係合部である係止孔に絶縁部材を設けた状態を示している斜視図である。
【図１４】実施形態の照明器具において、照明装置の第一係合部であるキックバネに絶縁部材を設けた状態を示している斜視図である。
【図１５】実施形態の別例の照明器具において、照明装置と器具本体とを並んで示している回路図である。
【図１６】実施形態の別例の照明器具において、第一係合部と第二係合部との間に開閉器を接続した状態を示している、照明器具を斜め上から見た斜視図である。
【図１７】実施形態の別例の照明器具において、照明装置と器具本体とを並んで示している回路図である。
【図１８】実施形態の照明システムにおいて、照明制御機器側と照明器具側とで実行される光源部及び開閉器の制御方法を示すフローチャートである。
【図１９】実施形態の別例の照明システムを構成する表示端末の表示状態の２例を示す図である。
【図２０】実施形態の別例の照明システムにおいて、照明制御機器側で実行される光源部及び開閉器の制御方法を示すフローチャートである。
【発明を実施するための形態】
【００１１】
以下に、本開示に係る実施の形態について添付図面を参照しながら詳細に説明する。この説明において、具体的な形状、材料、個数、方向等は、本開示の理解を容易にするための例示であって、照明器具または照明システムの仕様に合わせて適宜変更することができる。また、以下において複数の実施形態や変形例などが含まれる場合、それらの特徴部分を適宜に組み合わせて用いることは当初から想定されている。以下では、すべての図面において同様の要素には同一の符号を付して説明する。
【００１２】
図１は、本開示の一実施形態の照明器具１１を含む照明システム１０の構成図である。照明システム１０は、照明器具１１と、照明制御機器１００とを備える。照明器具１１は、器具筐体１３（図２）を有する器具本体１２（図２）と、照明装置３０と、開閉器５０（図１２）とを含んで構成される。照明装置３０は、照明筐体３１（図６）、光源部４０、第一無線通信部４２、及び電源回路部４４を有する。開閉器５０は、後述のように器具筐体１３と照明筐体３１との電気的接続を開閉する。照明器具１１は、天井、壁等の所定の設置位置に固定して設置される。以下では、照明器具１１が天井の設置位置に固定される場合について説明する。
【００１３】
照明制御機器１００は、照明器具１１の光源部４０の照明動作を制御する機器であり、操作部１０１と、操作部１０１に接続された制御装置１０２と、制御装置１０２に接続された第二無線通信部１０６とを含んで構成される。照明制御機器１００は、例えば壁等の所定の設置位置で照明器具１１から離れた位置に固定される。操作部１０１は、ユーザにより操作可能に構成される。ユーザによって操作部１０１が操作されることに応じて、制御装置１０２は第二無線通信部１０６により、光源部４０の照明動作を指示する光源制御信号を照明器具１１に無線で送信させる。その光源制御信号は第一無線通信部４２で受信され、第一無線通信部４２が有する制御部（図示せず）が、その光源制御信号に応じて、光源部４０の発光状態を制御する。
【００１４】
制御装置１０２は、演算処理部、メモリ等の記憶部、及び、Ｉ／Ｏインターフェースなどを備えるマイクロコンピュータによって好適に構成される。制御装置１０２は、記憶部に記憶されたプログラム、データ等を読み出して、所定の動作を実行する。制御装置１０２がプログラムを実行することによって、本開示における装置、システム、または方法の主体の機能が実現される。制御装置１０２は、プログラムに従って動作するプロセッサ（演算処理部）を主なハードウェア構成として備える。
【００１５】
プロセッサは、プログラムを実行することによって機能を実現することができれば、その種類は問わない。プロセッサは、半導体集積回路（ＩＣ）、又はＬＳＩ（large scale integration）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。記憶部は、演算処理部が読み取り可能なＲＯＭ等である。メモリの代わりに、記憶部として、光ディスク、ハードディスクドライブなどの非一時的記録媒体が用いられてもよい。プログラムは、記録媒体に予め格納されていてもよいし、インターネット等を含む広域通信網を介して記録媒体に供給されてもよい。
【００１６】
電源回路部４４は、第一無線通信部４２の制御部によって動作が制御され、外部交流電源からの電圧を直流電圧に変換して光源部４０に供給する。これにより光源部４０が発光等の動作を行う。光源部４０は、後述するように例えば複数の発光素子を含んで構成される。
【００１７】
次に、図２から図１０等を用いて、照明器具１１を詳しく説明する。図２は、照明器具１１を下側から見た斜視図である。図３は、照明器具１１から器具本体１２を取り出して下側から見た斜視図である。図４は、図３の器具本体１２を上から見た斜視図である。
【００１８】
図２に示すように照明器具１１は、長尺状であり、長手方向一方側（図２の左側）から見た形状が、下側に円弧の頂部を有する山形状である。照明器具１１は、天井に固定される器具本体１２と、器具本体１２の下側に取り付けられて固定される照明装置３０とを含む。
【００１９】
また、図３に示すように、器具本体１２は、器具筐体１３を有する。器具筐体１３は、第二筐体に相当する。器具筐体１３は、鉄等の金属板に曲げ加工を施すことにより長尺で、幅方向中央部において、下側に開口する長尺な凹部１４が形成される。この凹部１４の断面形状は略矩形である。器具本体１２は、凹部１４の底面を含む天板部１５が、吊りボルト（図示せず）によって天井材（図示せず）の下面に固定される。
【００２０】
器具筐体１３の下面の幅方向両側部分には、幅方向外側に向かって上方に傾斜する傾斜部１６が形成される。器具筐体１３の長手方向両端部には、凹部１４の長手方向両端開口を塞ぐキャップ１７が取り付けられる。キャップ１７は、金属材または樹脂材料により形成される。
【００２１】
器具本体１２には、後述の図１０〜図１２に示すように、係止孔１８及びキックバネ受け部１９が設けられる。具体的には、器具筐体１３の凹部１４を構成する一対の側壁部２０，２１のうち、一方の側壁部２０の長手方向に離れた２つの位置には、後述の引っ掛け金具３８を係止する矩形状の係止孔１８が形成される。凹部１４を構成する天板部１５の下面において、幅方向（図１２の上下方向）において係止孔１８とは反対側の端部において、天板部１５の長手方向に離れた２つの位置には、後述のキックバネ６０の端部を係止するためのキックバネ受け部１９が固定される。キックバネ受け部１９は、後述の図１１Ａに示すように、金属板を曲げ加工することにより形成され、固定側板部１９ａと、側板部１９ｂと、係止側板部１９ｃとを有する。固定側板部１９ａは、複数の孔を有する略長方形であり、器具本体１２の天板部１５の下面に固定される。側板部１９ｂは、固定側板部１９ａの幅方向一端における長手方向中間部から凹部１４の他方の側壁部２１に沿って延出される。係止側板部１９ｃは、側板部１９ｂの下端（図１１Ａの紙面の表側端）から固定側板部１９ａと略平行になるように延びる。係止側板部１９ｃの長手方向長さは、固定側板部１９ａの長手方向長さより小さい。係止側板部１９ｃの長手方向両端には、長手方向に伸びる一対の切欠１９ｄが形成される。一対の切欠１９ｄの一方の切欠１９ｄには、後述のキックバネ６０の端部が挿入されて係止側板部１９ｃの上側に係止される。図３、図４では、係止孔及びキックバネ受け部の図示を省略している。係止孔１８及びキックバネ受け部１９は、それぞれ第一係合部に相当する。
【００２２】
図５は、照明器具１１から照明装置３０を取り出して下側から見た斜視図である。図６は、照明装置３０において、一部を省略した状態で上から見た斜視図である。図７は、照明装置３０において、一部を省略して分解して示す斜視図である。図８は、電線４５、キックバネ６０、及び第一無線通信部４２を含んで示す図７のＡ部拡大相当図である。図９は、照明装置３０から透光カバー４６を取り外して下側から見た図である。
【００２３】
照明装置３０は、照明筐体３１（図６）、光源部４０（図９）、電源回路部４４（図６）、透光カバー４６（図５）、第一無線通信部４２（図８）、引っ掛け金具３８及びキックバネ６０（図８）を含んで構成される。照明筐体３１は、第一筐体に相当する。
【００２４】
図７に示すように照明筐体３１は、金属板に曲げ加工を施すことにより長尺状に形成され、底板部３２と、底板部３２の幅方向両端から立設する一対の側壁部３３とを有する。図９に示すように、光源部４０は、照明筐体３１の底板部３２の下面に取り付けられる。
【００２５】
光源部４０は、長尺な基板４１ａと、基板４１ａの下面の長手方向複数位置に直線状に並んで実装された複数の発光素子４１ｂとを有する。これらの発光素子４１ｂには、例えばＬＥＤ（発光ダイオード）が好適に用いられる。複数の発光素子４１ｂは、基板４１ａの長手方向に沿ってほぼ等間隔で直線状に配置される。なお、光源部は、ＬＥＤ以外の発光素子、例えば半導体レーザ素子等で構成されてもよい。図示の例では、複数の光源部４０が長手方向に連結されている。光源部４０の発光素子４１ｂは、パターン配線を介してコネクタ（図示せず）に接続される。このコネクタは、電源回路部４４（図７）に接続される。図６、図７に示すように、電源回路部４４は、照明筐体３１の上面において、長手方向中間部に固定され、上記のコネクタを介して各発光素子４１ｂに電力を供給する。
【００２６】
透光カバー４６は、樹脂材料製であり、光源部４０を覆うように照明筐体３１の下側に取り付けられる。透光カバー４６は、長尺状であり断面形状が略円弧形である。透光カバー４６の長さは、照明筐体３１の長手方向全長とほぼ一致する。透光カバー４６の長手方向両端開口は、樹脂材料製の第２キャップ４７により塞がれる。
【００２７】
図８に示すように、第一無線通信部４２は、照明筐体３１の上側の長手方向一端部（図８の右端部）に取り付けられる。第一無線通信部４２は、無線信号を送受信するアンテナと、アンテナに接続された無線回路と、無線回路の動作を制御する照明側制御部とを有する。第一無線通信部４２は、第二無線通信部１０６（図１）から制御信号を無線で受信する。光源部４０は、第一無線通信部４２が受信した制御信号に基づいて発光状態が制御される。このために、第一無線通信部４２は、電源回路部４４（図７）と電線４５（図８）で接続される。
【００２８】
また、図６〜図１２に示すように、引っ掛け金具３８及びキックバネ６０は、照明筐体３１に設けられる。具体的には、図６〜図８に示すように、照明筐体３１の底板部３２の上面において、長手方向の２つの位置における幅方向中間部には、引っ掛け金具３８がそれぞれ固定される。図８に示す例では、金属板を曲げ加工等することにより形成された固定金具７０が、照明筐体３１の底板部３２の上面にネジ結合等により固定される。そして、この固定金具７０の一部に差し込む等により、引っ掛け金具３８が照明筐体３１に固定される。図８に示すように引っ掛け金具３８は、金属板を曲げ加工する等により形成される。引っ掛け金具３８の一部は、照明筐体３１の一対の側壁部３３のうち、一方（図８の下側）の側壁部３３を跨いで幅方向外側に突出して突出部３９を形成し、その突出部３９の先端部が照明筐体３１の底板部３２側に曲げられている。突出部３９の先端部は、突出部３９の残りの部分より幅方向長さが大きくなっている。
【００２９】
固定金具７０のうち、引っ掛け金具３８とは反対側の端部には、側壁部３３に沿うように曲げられた立壁部７１が形成され、その立壁部７１の上端がＬ字形に曲げられてバネ支持部７２が形成される。このバネ支持部７２の上面に、後述のキックバネ６０の一端側係止部６１が係止される。上記の引っ掛け金具３８の突出部３９の先端部は、上記の器具本体１２の一方の側壁部２０に形成された係止孔１８に挿入して係止される。
【００３０】
固定金具７０は、照明筐体３１の底板部３２の上面において、長手方向において２つの引っ掛け金具３８と一致する２つの位置に固定される。また、固定金具７０において、立壁部７１に対し照明筐体３１の長手方向に隣り合う位置には、立壁部７１の上端より低い位置でＵ字形に曲げられたコイル支持部７３が形成される。キックバネ６０は、金属線材により形成され、コイル支持部７３に支持されるコイル部６２（図１１Ｂ）と、バネ支持部７２の上面に係止される一端側係止部６１とを有する。キックバネ６０は、弾性部材に相当する。この状態で、キックバネ６０の他端側は、照明筐体３１の上端開口から上斜め方向に伸びるように突出し、その先端部が略Ｌ字形に曲げられて他端側係止部６３を形成する。この他端側係止部６３は、器具筐体１３に固定された後述のキックバネ受け部１９（図１１Ａ）に係止される。引っ掛け金具３８及びキックバネ６０は、それぞれ第一係合部に相当する。また、係止孔１８及びキックバネ受け部１９は、それぞれ第二係合部に相当する。
【００３１】
図１０は、器具本体１２と照明装置３０との長手方向一部を並んで示す図である。図１１Ａは、器具本体１２において、キックバネ受け部１９が配置された長手方向一部を示す斜視図である。図１１Ｂは、キックバネ６０及びキックバネ受け部１９を介して器具本体１２に照明装置３０を取り付ける状態を斜め下側から見て示す斜視図である。
【００３２】
図１０では、上側に器具本体１２が、下側に照明装置３０が配置された状態を示している。器具本体１２に照明装置３０を取り付ける場合には、天井材（図示せず）の下面から突出させた吊りボルトを、器具本体１２を構成する器具筐体１３の天板部１５に形成した孔に貫通させる。そしてこの状態で、下側からナットをねじ込むことにより、天井材に器具本体１２を固定する。そして、図１０に示す照明装置３０に配置した引っ掛け金具３８の先端部を器具筐体１３の係止孔１８に挿入して係止する。この状態で、引っ掛け金具３８と係止孔１８との係合部を支点にして、図１１Ｂに示すように、器具本体１２に対し照明装置３０を傾斜させる。この状態で、キックバネ６０の他端側係止部６３を、器具筐体１３に固定されたキックバネ受け部１９の一方の切欠１９ｄに挿入して、キックバネ受け部１９の上面（図１１Ｂの下面）に係止する。そして、引っ掛け金具３８と係止孔１８との係合部を支点にして、キックバネ６０の弾性力により照明装置３０を持ち上げるように回転させて、器具本体１２に照明装置３０を保持して組み付ける。なお、キックバネ受け部１９は、上記のようにキックバネ６０の他端側係止部６３を挿入する切欠１９ｄを有する構成に限定せず、キックバネ受け部の長方形の係止側板部に円形、長円形等の貫通孔が形成された構成としてもよい。このとき、キックバネ６０の他端側係止部６３は、その貫通孔に挿入されてキックバネ受け部に係止される。
【００３３】
図１２は、実施形態の照明器具１１において、照明装置３０と器具本体１２とを並んで示している回路図である。開閉器５０は、器具本体１２の器具筐体１３と照明装置３０の照明筐体３１との間に接続され、器具筐体１３と照明筐体３１との電気的接続を開閉する。図１２では、照明装置３０から透光カバー４６及び光源部４０を取り外して示している。開閉器５０は、例えば操作部の揺動によりオンオフ状態である開閉状態が切り替わるスナップスイッチまたはトグルスイッチ等の機械式の開閉器である。このような開閉器５０では、ユーザの操作部の操作により開閉が切り替わる。開閉器５０は、例えば照明器具１１の外側において、器具本体１２及び照明装置３０から電気的に絶縁された状態で固定される。開閉器５０は、プッシュプルスイッチ、押しボタンスイッチ等としてもよい。
【００３４】
また、照明筐体３１の側壁部３３の外側面と、器具筐体１３の側壁部２０，２１の内側面とは、互いに接触し、かつ、照明筐体３１の側壁部３３の外側面と器具筐体１３の側壁部２０，２１の内側面との一方または両方は、絶縁被膜で覆われている。このとき、照明筐体３１の側壁部３３の外側面は第一面に相当し、器具筐体１３の側壁部２０，２１の内側面は第二面に相当する。また、照明筐体３１と器具筐体１３とは、照明筐体３１の側壁部３３の外側面と器具筐体１３の側壁部２０，２１の内側面以外では接触しない。
【００３５】
さらに、照明筐体３１と器具筐体１３とは、引っ掛け金具３８及び係止孔１８の係合部と、キックバネ６０及びキックバネ受け部１９の係合部との両方で、直接には電気的に接続されない。このために、係止孔１８には第一絶縁部材５１（図１３）が取り付けられ、キックバネ６０には第二絶縁部材５５（図１４）が取り付けられる。
【００３６】
図１３は、実施形態の照明器具において、器具本体１２の係止孔１８に第一絶縁部材５１を設けた状態を示している斜視図である。図１３に示すように、第一絶縁部材５１は、樹脂材料により断面略長円形の筒状に形成される。第一絶縁部材５１は、器具本体１２の一方の側壁部２０に形成された係止孔１８の周縁部に、係止孔１８の内周面を覆うように嵌合して取り付けられる。第一絶縁部材５１は、長円形の筒部５２を含み、筒部５２の平行な一対の平面壁部５３のうち、一方（図１３の上側）の平面壁部５３において、一方の側壁部２０の長手方向（図１３の左右方向）に離れた２つの位置に爪部５４が形成される。爪部５４は、自由状態で一方の平面壁部５３の外側面から突出する。一方、爪部５４の外周縁の一辺を除く部分に略Ｕ字形の切欠が形成され、爪部５４が外側から筒部５２の内側に向けて押されることにより爪部５４が一方の平面壁部５３の外側面から内側に退避可能に構成される。また、筒部５２の外周面において、爪部５４とは軸方向において反対側の端部には長円形のフランジ（図示せず）が形成される。これにより、係止孔１８の一方端（図１３の紙面の裏側端）から他方端（図１３の紙面の表側端）に向けて爪部５４の側から第一絶縁部材５１を挿入し、その際に、爪部５４を一方の平面壁部５３の外側面から内側に弾性的に退避させる。そして、第一絶縁部材５１を係止孔１８に挿入し切った状態で、爪部５４が筒部５２の外側に突出し、爪部５４とフランジとで係止孔１８から第一絶縁部材５１が外れることが防止される。照明装置３０（図１２）の引っ掛け金具３８の先端部は、この第一絶縁部材５１の内側に挿入するので、引っ掛け金具３８が照明筐体３１に接触することがない。
【００３７】
図１４は、実施形態の照明器具１１において、照明装置３０側のキックバネ６０に第二絶縁部材５５を設けた状態を示している斜視図である。図１４に示すように、第二絶縁部材５５は、樹脂材料により筒状に形成され、キックバネ６０のうち、コイル部６２から他端側に導出された部分であって、他端側係止部６３を含む部分のほぼ全体に被せるように取り付けられた絶縁チューブである。図１４では斜線部により第二絶縁部材５５を示している。第二絶縁部材は、キックバネ６０の他端側の複数の直線部に応じて分割された複数の直線状のチューブであってもよい。これにより、器具本体１２に設けたキックバネ受け部１９には、キックバネ６０が第二絶縁部材５５を介さずに接触することがない。したがって、照明筐体３１と器具筐体１３とは、引っ掛け金具３８及び係止孔１８の係合部と、キックバネ６０及びキックバネ受け部１９の係合部とで、直接には電気的に接続されない。
【００３８】
上記の照明器具１１及び照明システム１０によれば、第一無線通信部４２のアンテナの指向性がその外側の器具筐体１３及び照明筐体３１により大きな影響を受ける。そして、開閉器５０の開閉に応じて器具筐体１３と照明筐体３１との電気的接続が開閉されるので、開閉器５０の開閉に応じて第一無線通信部４２での受信信号の強度が変化して、その受信性能が変化する。これにより、照明器具１１が所定の設置位置に固定される前または後の状態で、照明器具１１の施工業者、またはユーザが、開閉器５０の開閉を切り替えることにより、受信信号強度が高くなる開閉器５０の開閉状態を容易に選択できる。これにより、照明器具１１と照明制御機器１００との間での必要な無線通信性能を確保しやすい。
【００３９】
なお、図示は省略するが、照明装置３０と器具本体１２とは、保安用アースを確保するために常に接続される場合があるが、本実施形態の開閉器５０を含む照明装置３０と器具本体１２との電気的接続は、そのような常時接続とは基本的に異なる。
【００４０】
図１５は、実施形態の別例の照明器具１１ａにおいて、照明装置３０と器具本体１２とを並んで示している回路図である。本例の構成では、第一組の引っ掛け金具３８と器具筐体１３の係止孔１８周辺部との間に第一開閉器５０ａが接続され、第一組の照明筐体３１のキックバネ６０周辺部とキックバネ受け部１９との間に第二開閉器５０ｂが接続される。第一組は、照明器具１１ａの長手方向一方側（図１５の左側）に配置され、後述する第二組は、照明器具１１ａの長手方向他方側（図１５の右側）に配置される。
【００４１】
図１６は、実施形態の別例の照明器具１１において、第一組の引っ掛け金具３８と係止孔１８との間に第一開閉器５０ａを接続した状態を示している、照明器具１１を斜め上から見た斜視図である。器具本体１２の凹部１４の内側から一方の側壁部２０の係止孔１８に引っ掛け金具３８が挿入された状態で、一方の側壁部２０の外側面から引っ掛け金具３８の先端部が突出する。図１６では、係止孔１８に取り付ける第一絶縁部材５１（図１３参照）の図示を省略している。係止孔１８には上記の第一絶縁部材５１が取り付けられるので、引っ掛け金具３８と器具本体１２とは直接には電気的に接続されない。
【００４２】
一方、引っ掛け金具３８の先端部と、器具筐体１３の一方の側壁部２０との間には、第一開閉器５０ａが接続される。第一開閉器５０ａは、スナップスイッチであり、第一開閉器５０ａの本体部５６から導出する２本の導線に端子金具５７，５８がそれぞれ接続される。各導線は絶縁チューブ７４により覆われる。２つの端子金具５７，５８の一方の端子金具５７が引っ掛け金具３８の先端部にネジ結合されることにより、引っ掛け金具３８に電気的に接続される。また、２つの端子金具の５７，５８の他方の端子金具５８が一方の側壁部２０の外側面において、絶縁テープ７５が貼着された部分にネジ結合される。これにより、一方の側壁部２０の内側面に結合されたナット（図示せず）を介して、一方の側壁部２０に電気的に接続される。この状態で、第一開閉器５０ａの本体部５６は、一方の側壁部２０の外側面と器具本体１２の傾斜部１６との間の空間に配置される。第一開閉器５０ａは本体部５６から導出する操作部であるレバー５９の操作により開閉が切り替えられる。これにより、照明器具１１を天井材に取り付ける前において、施工業者等が照明装置３０の引っ掛け金具３８を係止孔１８に係止した状態で第一開閉器５０ａのレバー５９の操作によって第一開閉器５０ａの開閉を切り替えることができる。このため、照明装置３０の照明筐体３１と器具本体１２の器具筐体１３との電気的接続を切り替えることができる。
【００４３】
また、詳しい図示は省略するが、第一組の照明筐体３１のキックバネ６０周辺部とキックバネ受け部１９との間にも、第一組の引っ掛け金具３８及び器具本体１２との間の第一開閉器５０ａと同様に、第二開閉器５０ｂが接続される。例えば、第二開閉器５０ｂはスナップスイッチである。そして、第二開閉器５０ｂの本体部に接続された２つの端子金具の一方の端子金具が、器具筐体１３側のキックバネ受け部１９に、ネジ結合等により電気的に接続される。また、２つの端子金具の他方の端子金具が、照明筐体３１においてキックバネ６０の周辺部に、ネジ結合等により電気的に接続される。このとき、キックバネ６０には上記の図１４のように第二絶縁部材５５が被せられ、キックバネ６０とキックバネ受け部１９とは直接には電気的に接続されない。
【００４４】
また、第一組の第一開閉器５０ａ及び第二開閉器５０ｂと同様に、第二組の引っ掛け金具３８と器具筐体１３との間、及び、照明筐体３１とキックバネ受け部１９との間にも、第一開閉器５０ｃ、第二開閉器５０ｄがそれぞれ接続される。これにより、２つずつの第一開閉器５０ａ、５０ｃ及び第二開閉器５０ｂ、５０ｄが設けられ、これらの合計４つの開閉器の開閉が独立して切り替え可能である。また、器具筐体１３と照明筐体３１とは電気的に接続されるか否かだけでなく、どの位置で接続されるかによっても、第一無線通信部４２（図１）での受信信号の強度が変化する。このため、施工業者またはユーザが上記の４つの開閉器の開閉として、１６個の開閉の組み合わせから、第一無線通信部４２での受信信号の強度が最も高くなる組み合わせを選択できる。これにより、第一無線通信部４２の受信性能を高くしやすい。本例において、その他の構成及び作用は、図１〜図１４の構成と同様である。
【００４５】
なお、上記の図１５〜図１６の構成において、開閉器は、各組の引っ掛け金具３８と器具筐体１３との間、及び、照明筐体３１とキックバネ受け部１９との間に、それぞれ設けているが、第一及び第二組の引っ掛け金具３８と器具筐体１３との間、及び、照明筐体３１とキックバネ受け部１９との間の４つの位置のうち、１つ以上の一部の位置にのみ開閉器が配置されてもよい。また、所望の無線受信性能を照明器具で確保できるのであれば、上記の４つの位置のうち、一部の位置では開閉器を設けることなく、照明筐体３１と器具筐体１３とがその位置で電気的に常時接続された状態としてもよい。
【００４６】
また、係止孔１８に第一絶縁部材５１を取り付けるとともに、または係止孔１８に第一絶縁部材５１を取り付けることなく、引っ掛け金具３８の先端部に絶縁テープ等の絶縁材を巻くことで、引っ掛け金具と係止孔とが電気的に接続されないようにしてもよい。また、キックバネ受け部１９の表面において、キックバネ６０が接触する部分には、樹脂コーティング等の電気的絶縁の機能を有する絶縁材が配置されてもよい。また、引っ掛け金具３８または器具筐体１３の係止孔１８の周辺部またはその両方を、樹脂材料、グラスファイバ等の非金属材、または金属材とその表面に配置された非金属材の複合材で構成してもよい。同様に、キックバネ６０またはキックバネ受け部１９またはその両方を、非金属材、または金属材とその表面に配置された非金属材の複合材で構成してもよい。複合材を用いる場合には、その複合材を用いる部分の強度を高くできる。
【００４７】
図１７は、実施形態の別例の照明器具１１ｂにおいて、照明装置３０と器具本体１２とを並んで示している回路図である。本例の構成では、照明筐体３１と器具筐体１３との間に接続された開閉器５０ｅが第一無線通信部４２により制御されるように構成される。このために、開閉器５０ｅは、リレー、またはトランジスタ等の半導体スイッチにより構成される。このとき、第一無線通信部４２は、無線回路７６と、無線回路７６に接続された照明側制御部７７と、照明側制御部７７に接続された記憶装置７８とを有する。記憶装置７８は、所定のデータ、プログラム等が記憶されたメモリである。照明側制御部７７は、演算処理部を含んで構成される。制御部は、記憶装置７８に記憶されたプログラム、データ等を読み出して、所定の動作を実行する。
【００４８】
演算処理部は、プログラムを実行することによって機能を実現することができれば、その種類は問わない。演算処理部は、１つまたは複数の電子回路で構成される。複数の電子回路は、１つのチップに集積されてもよいし、複数のチップに設けられてもよい。
【００４９】
また、照明制御機器１００（図１）は、操作部１０１の操作に応じて、第一無線通信部４２に、開閉器５０ｅの開閉の切り替えを指示する開閉器制御信号を送信する。その開閉器制御信号は、第一無線通信部４２の無線回路７６でアンテナを介して受信され、照明側制御部７７に送られる。照明側制御部７７は、開閉器５０ｅに電線７９で接続されて、照明側制御部７７からの開閉器制御信号に応じた信号により、開閉器５０ｅの開閉を制御する。
【００５０】
上記の構成によれば、施工業者またはユーザが、照明制御機器１００の操作部１０１を操作することにより、照明筐体３１及び器具筐体１３の電気的接続をより容易に切り替えることができる。本例において、その他の構成及び作用は、図１〜図１４の構成と同様である。
【００５１】
なお、図１７の構成は、図１５〜図１６の構成と組み合わせることもできる。このとき、照明制御機器１００の操作部１０１の操作によって、４つの開閉器の組み合わせをより容易に切り替えることができる。また、図１７の構成において、第一無線通信部４２の照明側制御部７７と開閉器５０ｅとを接続する電線７９の中間位置に点灯回路等の他の回路が接続されてもよい。また、照明側制御部７７と開閉器５０ｅとは有線の電線で接続する構成に限定せず、照明側制御部７７と開閉器５０ｅとの間で無線により制御信号が送受信されてもよい。照明側制御部７７と開閉器５０ｅとが有線の電線７９で接続される場合には、その電線７９が電波の輻射源となり、第一無線通信部４２の受信性能に影響を与える可能性がある。これにより、電線７９には、フォトカプラ等の電気的に絶縁しながら信号を伝達する素子を設けることが好ましい。
【００５２】
図１８は、実施形態の照明システムにおいて、照明制御機器１００側と照明器具１１ｂ側とで実行される光源部４０及び開閉器５０の制御方法を示すフローチャートである。本例の構成では、照明システムは、照明制御機器１００と複数の照明器具１１ｂとを含んで構成される。各照明器具１１ｂの構成は、図１７の構成と同様である。また、本例では、照明器具１１ｂの開閉器５０ｅの開閉切り替えが第一無線通信部４２における受信状態に応じて自動で切り替えられる。
【００５３】
照明制御機器１００は、後述の図１９（ａ）を参照して、液晶ディスプレイ、タッチパネル等の表示端末８０を含む。表示端末８０は、照明制御機器１００の制御装置１０２（図１）に接続され、複数の照明器具１１ｂの配置状態を表示する。照明制御機器１００は、複数の照明器具１１ｂに、開閉器５０ｅの開閉を制御するための開閉器制御信号を送信する。
【００５４】
複数の照明器具１１ｂは、図１９の表示端末８０の画面で示すように横方向に並んで配置される。そして、複数の照明器具１１ｂには、複数の照明器具１１ｂの一方端（図１９の左端）から順に識別番号としてのＩＤ番号が００１，００２・・・００６と順に設定されている。また、各照明器具１１ｂの照明側制御部７７（図１７）は、第一無線通信部４２の受信信号強度の情報を、照明制御機器１００の制御装置１０２に無線で送信させる。制御装置１０２は、その情報を受信する。そして、受信信号強度が予め設定した設定値以下である場合に、制御装置１０２は、その受信信号強度が低い照明器具１１ｂの開閉器５０ｅの開閉を、必要に応じて切り替えるように開閉器制御信号を送信させる。
【００５５】
図１８を用いて、照明制御機器１００側及び照明器具１１ｂ側の制御処理を詳しく説明する。照明制御機器１００側の制御は制御装置１０２により実行され、照明器具１１ｂ側の制御は第一無線通信部４２の照明側制御部７７により実行される。まず、照明制御機器１００側では、ステップＳ１において、制御装置１０２は表示端末８０に照明器具１１ｂの配置図を表示させる。そして、ステップＳ２において、操作部１０１（図１）による照明器具１１ｂの発光状態を指示する操作に応じて、制御装置１０２は、照明器具１１ｂにその発光状態を制御するための光源制御信号を送信させ、ステップＳ３に進む。
【００５６】
一方、照明器具１１ｂ側では、ステップＳ１０において、照明器具１１ｂに給電が開始されると、初期設定で照明動作が開始される。次いで、ステップＳ１１では、照明制御機器１００から制御信号を受信したか否かが判定される。ステップＳ１１の判定結果が否定（Ｎｏ）であれば、その判定処理を繰り返す。一方、ステップＳ１１の判定結果が肯定（Ｙｅｓ）であれば、ステップＳ１２に進み、制御信号に基づき、照明側制御部７７における制御を変更する。そして、ステップＳ１３において、その制御結果の情報を照明制御機器１００の制御装置１０２に無線で送信させる。このとき、制御結果の情報には、第一無線通信部４２の受信信号強度の情報も含まれる。ステップＳ１３の処理後は、ステップＳ１１に戻る。
【００５７】
照明制御機器１００側では、ステップＳ３において、照明器具１１ｂ側から制御結果情報を受信したか否かが判定される。ステップＳ３の判定結果が否定（Ｎｏ）であればステップＳ４に進み、受信時間が予め設定した設定時間以上か否かが判定される。ステップＳ４の判定結果が否定であれば、ステップＳ３に戻る。ステップＳ４の判定結果が肯定であれば、ステップＳ２に戻り、光源制御信号を照明器具１１ｂに送信させる処理を再度行う。
【００５８】
一方、ステップＳ３の判定結果が肯定（Ｙｅｓ）であれば、ステップＳ５に進み、照明器具１１ｂでの受信信号強度が予め設定した設定値以下か否かが判定され、その判定結果が否定であれば、ステップＳ１に戻る。ステップＳ５の判定結果が肯定であれば、ステップＳ６において、開閉器５０ｅの開閉切り替えで受信信号強度が向上するか否かが判定される。例えば、照明制御機器１００ですでに開閉器５０ｅの開閉切り替えの制御信号を送信しているのであれば、その切り替えを再度行っても受信信号強度は向上しないと判断される。ステップＳ６の判定結果が肯定（Ｙｅｓ）であれば、ステップＳ７において、制御装置１０２が開閉器５０ｅの開閉切り替えを指示する開閉器制御信号を当該照明器具１１ｂに送信させた後、ステップＳ１に戻る。また、ステップＳ６の判定結果が否定（Ｎｏ）の場合も、ステップＳ１に戻る。
【００５９】
照明制御機器１００から開閉器制御信号が送信された場合には、照明器具１１ｂ側において、ステップＳ１２で、その制御信号に応じて開閉器５０ｅの開閉を切り替えるように開閉器５０ｅが制御される。これにより、本例の構成では、照明器具１１ｂの受信信号強度が低い場合に、必要に応じて、開閉器５０ｅの開閉の切り替えが自動で行われる。その他の構成及び作用は、図１７の構成と同様である。
【００６０】
図１９は、実施形態の別例の照明システムを構成する表示端末８０の表示状態の２例を示す図である。図２０は、実施形態の別例の照明システムにおいて、照明制御機器１００側で実行される光源部４０及び開閉器５０ｅの制御方法を示すフローチャートである。
【００６１】
上記の図１８で説明した構成では、照明器具１１ｂの受信信号強度が低い場合に、必要に応じて、開閉器の開閉の切り替えが自動で行われていた。一方、本例の構成では、施工業者またはユーザが開閉器の切り替えの指示を照明制御機器１００で行って、それに応じて照明器具１１ｂの開閉器の切り替えが行われる。
【００６２】
本例の場合も、図１８で説明した構成と同様に、照明システムは、複数の照明器具１１ｂと照明制御機器１００とを含んで構成される。そして、図１９（ａ）に示すように、表示端末８０に照明器具１１ｂの配置を示す画像が表示される。また、図１９（ｂ）に示すように、照明制御機器１００の制御装置１０２は、照明器具１１ｂの受信信号強度が設定値以下である場合に、その情報を表示端末８０に表示させる。これとともに、制御装置１０２は、施工業者またはユーザに、当該照明器具１１ｂの開閉器の開閉を指示するか否かの問い合わせとして、無線動作の切り替えを行うか否かの問い合わせを表示端末８０に表示させる。また、表示端末８０は、複数の照明器具１１ｂの少なくとも１つの照明器具から送出された開閉器の情報を、制御装置１０２を介して表示端末８０に表示可能に構成される。
【００６３】
図２０を用いて、照明制御機器１００側の制御処理を説明する。本例において、照明器具１１ｂ側の制御は、図１８のフローチャートを用いて説明した構成と同様である。照明制御機器１００側の制御処理において、ステップＳ２１〜ステップＳ２５の処理は、図１８のステップＳ１〜Ｓ５の処理と同様である。ステップＳ２５の判定において、照明器具１１ｂでの受信信号強度が予め設定した設定値以下か否かが判定され、その判定結果が否定（Ｎｏ）であれば、ステップＳ２１に戻る。ステップＳ２５の判定結果が肯定（Ｙｅｓ）であれば、ステップＳ２６において、制御装置１０２は、表示端末８０に受信信号状態を表示させる。このときの表示端末８０の表示状態は、例えば図１９（ｂ）に示す状態となる。図１９（ｂ）では「ＩＤ００１の無線信号弱いです。無線動作を切り替えますか？」の表示がされ、「ＹＥＳ」と「ＮＯ」の指示入力部が表示される。これにより、表示端末８０には、受信信号強度が低い照明器具１１ｂから送出された開閉器の情報が表示される。このとき、表示端末８０の表面にはタッチパネルが設けられ、施工業者またはユーザがその指示入力部の「ＹＥＳ」と「ＮＯ」のいずれかを指でタッチすることにより、対応する選択がされる。このとき、表示端末８０は、操作部としての機能も有する。
【００６４】
そして、ステップＳ２７において、制御装置１０２は、ユーザの無線動作の切替指示の入力があったか否かを判定する。ステップＳ２７の判定結果が否定（Ｎｏ）の場合はステップＳ２１に戻る。ステップＳ２７の判定結果が肯定（Ｙｅｓ）の場合には、ステップＳ２８において、制御装置１０２は、照明器具１１ｂに開閉器５０ｅ（図１７）の開閉を切り替えることを指示する開閉器制御信号を送信させる。そして、図１８のＳ１１〜Ｓ１３で説明したように、照明器具１１ｂ側で開閉器制御信号が受信されると、それに応じた制御変更として、開閉器５０ｅの開閉を切り替えるように開閉器５０ｅが制御される。これにより、本例の構成では、照明器具１１ｂの受信信号強度が低い場合に、施工業者またはユーザによる照明制御機器１００での選択に応じて、開閉器５０ｅの開閉の切り替えが行われる。その他の構成及び作用は、図１７の構成、または図１８の構成と同様である。
【００６５】
なお、本開示に係る照明器具及び照明システムは、上述した実施形態及びその変形例に限定されるものではなく、本願の特許請求の範囲に記載された事項及びその均等な範囲内において種々の変更や改良が可能である。例えば、上記の各例では弾性部材としてキックバネを用いる場合を説明したが、弾性部材として、キックバネ以外に、導電性を有する板バネ、コイルバネなどを用いてもよい。
【符号の説明】
【００６６】
１０  照明システム、１１，１１ａ，１１ｂ  照明器具、１２  器具本体、１３  器具筐体、１４  凹部、１５  天板部、１６  傾斜部、１７  キャップ、１８  係止孔、１９  キックバネ受け部、１９ａ  固定側板部、１９ｂ  側板部、１９ｃ  係止側板部、１９ｄ  切欠、２０，２１  側壁部、３０  照明装置、３１  照明筐体、３２  底板部、３３  側壁部、３８  引っ掛け金具、３９  突出部、４０  光源部、４１ａ  基板、４１ｂ  発光素子、４２  第一無線通信部、４４  電源回路部、４５  電線、４６  透光カバー、４７  第２キャップ、５０  開閉器、５０ａ  第一開閉器、５０ｂ  第二開閉器，５０ｃ  第一開閉器、５０ｄ  第二開閉器、５０ｅ  開閉器、５１  第一絶縁部材、５２  筒部、５３  平面壁部、５４  爪部、５５  第二絶縁部材、５６  本体部、５７，５８  端子金具、５９  レバー、６０  キックバネ、６１  一端側係止部、６２  コイル部、６３  他端側係止部、７０  固定金具、７１  立壁部、７２  バネ支持部、７３  コイル支持部、７４  絶縁チューブ、７５  絶縁テープ、７６  無線回路、７７  照明側制御部、７８  記憶装置、７９  電線、８０  表示端末、１００  照明制御機器、１０１  操作部、１０２  制御装置、１０６  第二無線通信部。
【図１】
2019021557.tif 000003
【図２】
2019021557.tif 000004
【図３】
2019021557.tif 000005
【図４】
2019021557.tif 000006
【図５】
2019021557.tif 000007
【図６】
2019021557.tif 000008
【図７】
2019021557.tif 000009
【図８】
2019021557.tif 000010
【図９】
2019021557.tif 000011
【図１０】
2019021557.tif 000012
【図１１Ａ】
2019021557.tif 000013
【図１１Ｂ】
2019021557.tif 000014
【図１２】
2019021557.tif 000015
【図１３】
2019021557.tif 000016
【図１４】
2019021557.tif 000017
【図１５】
2019021557.tif 000018
【図１６】
2019021557.tif 000019
【図１７】
2019021557.tif 000020
【図１８】
2019021557.tif 000021
【図１９】
2019021557.tif 000022
【図２０】
2019021557.tif 000023